(57)【要約】【課題】照明装置の照明光に照度むらがあっても、撮影画像における明るさむらを低減できるようにする。【解決手段】画像処理装置１ｃ，１ｆは、照明装置ＩＡからの照明光によって照明された被写体の撮像により生成された入力画像を取得し、照明光の照度分布に関する情報である照明情報を取得し、照明情報を用いて入力画像に対する画像処理を行う。レンズ装置２は、該レンズ装置のうち被写体側の端部に設けられた照明装置ＩＡと、照明情報を記憶した記憶手段１ｅとを有し、照明情報を画像処理装置に送信する。【選択図】図１
2017143454.tif 000002
【特許請求の範囲】
【請求項１】
照明装置からの照明光によって照明された被写体の撮像により生成された入力画像を取得する画像取得手段と、
前記照明光の照度分布に関する情報である照明情報を取得する照明情報取得手段と、
前記照明情報を用いて前記入力画像に対する画像処理を行う処理手段とを有することを特徴とする画像処理装置。
【請求項２】
前記照明装置は、複数の発光部を有し、
前記照明情報は、前記複数の発光部が発光した状態での前記照度分布に関する情報であることを特徴とする請求項１に記載の画像処理装置。
【請求項３】
前記画像処理に用いられる前記照明情報は、前記撮像における撮影距離に応じて異なることを特徴とする請求項１または２に記載の画像処理装置。
【請求項４】
前記画像処理は、前記照度分布に第１の照度領域と該第１の照度領域より照度が低い第２の照度領域とがあるとき、前記入力画像における前記第２の照度領域に対応する画像領域の画素値を増加させる処理であることを特徴とする請求項１から３のいずれか一項に記載の画像処理装置。
【請求項５】
前記画像処理は、前記照度分布に第１の照度領域と該第１の照度領域より照度が低い第２の照度領域とがあるとき、前記入力画像における前記第１の照度領域に対応する画像領域の画素値を低下させる処理であることを特徴とする請求項１から３のいずれか一項に記載の画像処理装置。
【請求項６】
被写体の撮像を行う撮像手段と、
前記撮像手段からの出力を用いて生成された入力画像に対して請求項１から５のいずれか一項に記載の画像処理装置とを有することを特徴とする撮像装置。
【請求項７】
前記照明装置は、前記撮像に用いられるレンズ装置のうち被写体側の端部に設けられていることを特徴とする請求項６に記載の撮像装置。
【請求項８】
前記レンズ装置は、該撮像装置に対して取り外し可能かつ通信可能に装着されるとともに、前記照明情報を記憶した記憶手段を有しており、
前記照明情報取得手段は、前記記憶手段から前記照明情報を通信により取得することを特徴とする請求項７に記載の撮像装置。
【請求項９】
前記照明情報取得手段は、前記照度分布を測定することにより前記照明情報を取得することを特徴とする請求項６または７に記載の撮像装置。
【請求項１０】
被写体の撮像を行って入力画像を生成する撮像手段と、請求項１から５のいずれか一項に記載の画像処理装置とを有する撮像装置に対して取り外し可能かつ通信可能に装着されるレンズ装置であって、
該レンズ装置のうち被写体側の端部に設けられた前記照明装置と、
前記照明情報を記憶した記憶手段と、
前記照明情報を前記撮像装置に送信する送信手段とを有することを特徴とするレンズ装置。
【請求項１１】
前記照明装置を光軸方向に移動させずに焦点調節が可能であることを特徴とする請求項１０に記載のレンズ装置。
【請求項１２】
コンピュータを動作させるコンピュータプログラムであって、
前記コンピュータに、
照明装置からの照明光によって照明された被写体の撮像により生成された入力画像を取得させ、
前記照明光の照度分布に関する情報である照明情報を取得させ、
前記照明情報を用いて前記入力画像に対する画像処理を行わせることを特徴とする画像処理プログラム。
【発明の詳細な説明】
【技術分野】
【０００１】
本発明は、照明された被写体を撮像することで得られた撮影画像に対して画像処理を行う技術に関する。
【背景技術】
【０００２】
撮像を行う場合に、デジタルカメラ等の撮像装置や交換レンズ等のレンズ装置に外付けまたは内蔵された照明装置を用いて被写体を照明する場合が多い。特許文献１および特許文献２には、近接撮影（マクロ撮影）に適したレンズ装置として、鏡筒部における被写体側の前端部に環状に配置された複数の白色ＬＥＤを内蔵したものが開示されている。
【先行技術文献】
【特許文献】
【０００３】
【特許文献１】特開２００６−３３７４２２号公報
【特許文献２】特開２００７−０４７１９２号公報
【発明の概要】
【発明が解決しようとする課題】
【０００４】
しかしながら、照明装置からの照明光の照度分布が不均一である（つまりは照度むらがある）と、明るさにむらがある撮影画像が取得される。特に特許文献１，２に開示されたレンズ装置のように複数のＬＥＤを有する場合には、該複数のＬＥＤの輝度が互いに異なることにより照度むらが発生する。さらに、近接撮影において照度むらがあると、撮影画像において明るさのむらが目立つ。
【０００５】
本発明は、照明装置の照明光に照度むらがあっても、撮影画像における明るさむらを低減することができるようにした画像処理装置、撮像装置およびレンズ装置等を提供する。
【課題を解決するための手段】
【０００６】
本発明の一側面としての画像処理装置は、照明装置からの照明光によって照明された被写体の撮像により生成された入力画像を取得する画像取得手段と、照明光の照度分布に関する情報である照明情報を取得する照明情報取得手段と、照明情報を用いて入力画像に対する画像処理を行う処理手段とを有することを特徴とする。
【０００７】
また、被写体の撮像を行う撮像手段と上記画像処理装置とを有する撮像装置も、本発明の他の一側面を構成する。
【０００８】
また、本発明の他の一側面としてのレンズ装置は、被写体の撮像を行って入力画像を生成する撮像手段と上記画像処理装置とを有する撮像装置に対して取り外し可能かつ通信可能に装着される。該レンズ装置は、該レンズ装置のうち被写体側の端部に設けられた照明装置と、照明情報を記憶した記憶手段と、照明情報を撮像装置に送信する送信手段とを有することを特徴とする。
【０００９】
さらに、本発明の他の一側面としての画像処理プログラムは、コンピュータに、照明装置からの照明光によって照明された被写体の撮像により生成された入力画像を取得させ、照明光の照度分布に関する情報である照明情報を取得させ、照明情報を用いて入力画像に対する画像処理を行わせることを特徴とする。
【発明の効果】
【００１０】
本発明によれば、照明装置の照明光に照度むらがあっても、入力画像に対して照度分布に関する照明情報を用いた画像処理を行えるようにすることで、明るさむらが低減された高画質画像を生成することができる。
【図面の簡単な説明】
【００１１】
【図１】本発明の実施例であるカメラシステムの構成を示すブロック図。
【図２】実施例のレンズ鏡筒の外観図。
【図３】実施例における明るさむらの測定を示す図。
【図４】実施例における明るさむらを示す図。
【図５】実施例における照度マップを示す図。
【図６】上記照度マップの一部を拡大して示す図。
【図７】実施例における撮影画像を示す図。
【図８】実施例における画像処理後の出力画像を示す図。
【図９】実施例における画像処理を示すフローチャート。
【発明を実施するための形態】
【００１２】
以下、本発明の実施例について図面を参照しながら説明する。
【実施例１】
【００１３】
図１には、本発明の実施例１であるカメラシステムの構成を示している。カメラシステムは、デジタルカメラやビデオカメラ等の撮像装置であるカメラ１と、該カメラ１に取り外し可能に装着されるレンズ装置としての交換レンズ２とにより構成されている。図２には、交換レンズ２を前側（被写体側）の斜めから見たときの外観を示している。
【００１４】
カメラ１と交換レンズ２は、それぞれに設けられたカメラマウント１ａとレンズマウント２ａが結合することにより機械的に接続され、さらにカメラマウント１ａとレンズマウント２ａに設けられた不図示の通信端子を介して相互に通信可能に接続される。
【００１５】
カメラ１は、交換レンズ２内の撮影光学系により形成された被写体像を撮像（光電変換）するＣＭＯＳセンサまたはＣＣＤセンサ等により構成される撮像素子１ｂと、該撮像素子１ｂからの出力を用いて撮影画像を生成する画像処理部（処理手段）１ｆとを有する。また、カメラ１は、該カメラ１内の動作を制御するカメラＣＰＵ１ｃを有する。カメラＣＰＵ１ｃと画像処理部１ｆとにより画像処理装置が構成される。
【００１６】
交換レンズ２内の撮影光学系は、光軸方向に移動して焦点調節を行うフォーカスレンズおよび光量を調節する絞り等を有する。なお、本実施例における交換レンズ２は、近接撮影に適した撮影光学系を有するマクロ撮影用交換レンズである。この交換レンズ２は、例えば、３０ｍｍ〜７０ｍｍ程度の焦点距離を有し、発光部から１０ｍｍ〜５０ｍｍ程度の撮影距離で使用される。
【００１７】
カメラＣＰＵ１ｃは、カメラ１に設けられた不図示の操作スイッチがユーザにより操作されることに応じて、該操作に応じた指令を交換レンズ２に送信したり、ＡＦおよびＡＦ等の撮影準備動作や記録用画像を取得するための撮影動作を制御したりする。ＡＦ（オートフォーカス）において、カメラＣＰＵ１ｃは、撮像素子１ｂからの出力を用いてデフォーカス量を演算し、該デフォーカス量に応じたフォーカスレンズの駆動量の情報をフォーカス駆動情報として交換レンズ２に設けられたレンズＣＰＵ２ｂに送信する。また、ＡＥ（自動露出）において、カメラＣＰＵ１ｃは、撮像素子１ｂからの出力を用いて被写体輝度を計測し、該被写体輝度に応じた絞りの駆動量の情報を絞り駆動情報としてレンズＣＰＵ２ｂに送信する。この際、被写体輝度が所定値より低い場合には、カメラＣＰＵ１ｃは、後述する複数のレンズＬＥＤ２ｉを発光させるための発光制御情報をレンズＣＰＵ２ｂに送信する。
【００１８】
一方、レンズＣＰＵ２ｃは、交換レンズ２がカメラ１に装着されることに応じて、交換レンズ２に設けられたレンズ記憶部（記憶手段）２ｅに記憶されているレンズ情報をカメラＣＰＵ１ｃに送信する。レンズ情報は、撮影光学系の焦点距離、開放／最小絞り値、周辺光量に関する情報およびフォーカス敏感度に関する情報等を含む。さらに、レンズ情報には、複数のレンズＬＥＤ２ｉが発光した状態での撮影範囲内での照度分布に関する情報であるＬＥＤ照明情報（これについては後に詳しく説明する）も含まれる。レンズ情報を受け取ったカメラＣＰＵ１ｃは、該レンズ情報をカメラ１内に設けられたカメラ記憶部１ｅに記憶させる。
【００１９】
また、交換レンズ２には、フォーカス駆動回路および絞り駆動回路等が実装された基板２ｆと、フォーカスレンズを駆動するステッピングモータや振動型モータ等のフォーカスアクチュエータ２ｋとが設けられている。フォーカス駆動回路は、カメラＣＰＵ１ｃから受信したフォーカス駆動情報に応じてフォーカスアクチュエータ２ｋを駆動することで、フォーカスレンズを移動させる。これにより、ＡＦが行われる。絞り駆動回路は、カメラＣＰＵ１ｃから受信した絞り駆動情報に応じてステッピングモータ等の絞りアクチュエータを駆動することで、絞りを動作させる。これにより、適切な絞り値が設定される。
【００２０】
さらに、交換レンズ２の鏡筒部の前端部（被写体側の端部）のうち撮影光学系を囲む周囲部分には、その周方向に離間した位置に発光部としてのレンズＬＥＤ２ｉが複数（例えば２つ）設けられている。レンズＬＥＤ２ｉは、白色単色光を発光するＬＥＤ（ＲＧＢの３つの発光素子を含むものであってもよい）により構成され、レンズＣＰＵ２ｂに接続されている。
【００２１】
レンズＬＥＤ２ｉの前側には、図２にも示すように撮影光学系の前面の周囲を囲むように周方向に環状に延びる拡散板２ｊが設けられている。拡散板２ｊの裏側には、各レンズＬＥＤ２ｉから発せられた照明光を拡散板２ｊの裏面における広い範囲に入射させるように周方向に導く光ガイド部材２ｈが設けられている。複数のレンズＬＥＤ２ｉから発せられた照明光は、これらレンズＬＥＤ２ｉのそれぞれに設けられた光ガイド部材２ｈを介して拡散板２ｊのほぼ全周の裏面に入射し、該拡散板２ｊより拡散されて被写体に向けて照射される。複数のレンズＬＥＤ２ｉ、光ガイド部材２ｈおよび拡散板２ｊにより照明装置ＩＡが構成される。
【００２２】
本実施例の交換レンズ２は、焦点調節が行われてもレンズ全長が変化しない、つまりは照明装置ＩＡが光軸方向に移動しない構成を有する。このため、焦点調節が行われても照明装置ＩＡから被写体までの距離が一定に維持される。
【００２３】
交換レンズ２の外周面には、レンズＬＥＤ２ｉの点灯（発光）／消灯（非発光）を切り替えるためにユーザにより操作される照明スイッチ２ｇが設けられている。照明スイッチ２ｇは、レンズＣＰＵ２ｂに接続されている。レンズＣＰＵ２ｂは、照明スイッチ２ｇのオン操作およびオフ操作に応じて複数のレンズＬＥＤ２ｉの点灯と消灯を制御する。また、レンズＣＰＵ２ｂは、照明スイッチ２ｇの操作に応じて、複数のレンズＬＥＤ２ｉを互いに同じ輝度で発光させるように制御する。
【００２４】
なお、レンズＣＰＵ２ｂに、照明スイッチ２ｇの操作に応じて、点灯した複数のレンズＬＥＤ２ｉの明るさをまとめて又は個々に変化させることも可能である。さらに、レンズＣＰＵ２ｂに、照明スイッチ２ｇの操作に応じて、照明スイッチ２ｇの操作に応じて複数のレンズＬＥＤ２ｉのうち点灯させるレンズＬＥＤ２ｉを選択させることも可能である。
【００２５】
ただし、複数のレンズＬＥＤ２ｉは、レンズＬＥＤ２ｉごとの個体差（印加電圧に対する輝度特性や固有の照度分布）を有する場合がある。この場合、上述したようにレンズＣＰＵ２ｂが複数のレンズＬＥＤ２ｉを互いに同じ輝度で発光させるように制御（印加電圧を設定）しても、同一撮影距離の被写体面を均一に照明することが難しい。つまり、図４に示すように、照明装置ＩＡ（拡散板２ｊ）からの照明光の照度分布に応じて、同一撮影距離の被写体面において明るさむらが発生する。
【００２６】
このため、本実施例では、撮影距離ごとの被写体面における照明装置ＩＡからの照明光の照度分布を測定し、該照度分布に関する情報であるＬＥＤ照明情報を作成してレンズ記憶部２ｅに記憶させる。なお、ＬＥＤ照明情報の作成とレンズ記憶部２ｅへの記憶（格納）は、交換レンズ２の製造工程において行われる。以下、その具体的な手順について説明する。
【００２７】
図３に示すように、測定用カメラ１１に交換レンズ２を装着し、測定用カメラ１１に測定装置としてのパーソナルコンピュータ１２を接続する。次に、交換レンズ２の複数のレンズＬＥＤ２ｉを全て発光させた状態で、測定用カメラ１１に、撮影範囲内の反射輝度が一定である反射板３を撮像させる。該撮像により得られた測定用画像は、図４に示すように、照明光の照度むらに対応した明るさむらのある画像となる。図４では、照明装置ＩＡ（拡散板２ｊ）に対向するリング状の領域４ａが最も明るく、その内側の領域４ｂがやや暗く、領域４ｃよりも外側の領域４ｃは外側ほど暗くなっている。
【００２８】
パーソナルコンピュータ１２は、これにインストールされているコンピュータプログラムとしての測定プログラムに従って動作して、測定用画像を図５に示すように複数のブロックに分け、図６に示すようにブロックごとの明るさのデータを取得する。なお、図６は、図４に示した測定用画像の周辺部（隅部）を拡大して示している。
【００２９】
ブロックごとの明るさは、例えば、該ブロック内の複数の画素の画素値の平均値とすればよい。また、ブロック内の代表画素の画素値としてもよいし、最高輝度を有するブロックの明るさに対する差分値としてもよい。こうして、全てのブロックのそれぞれにおける明るさ、つまりは照明光の照度のデータをこれらブロックの位置（座標）と対応付けたマップデータをＬＥＤ照明情報（以下、照度マップという）として作成し、レンズ記憶部２ｅに記憶させる。
【００３０】
なお、照明光の照度分布と被写体面での明るさ分布とは互いに対応する関係にあるので、照明光の照度分布に関する照明情報を、被写体面での明るさ分布に関する照明情報と言い換えてもよい。
【００３１】
また、照明装置ＩＡからの照明光の配光特性は該照明光が照射される距離に応じて変化するため、照明光の照度分布および明るさ分布も被写体面までの距離である撮影距離によって変化する。したがって、本実施例では、代表的な複数の撮影距離のそれぞれに対する照度マップを上述した手順で作成し、これら撮影距離に応じて異なる複数の照度マップをレンズ記憶部２ｅに記憶させる。
【００３２】
次に、レンズ記憶部２ｅに撮影距離ごとの照度マップが記憶された交換レンズ２が装着されたカメラ１により撮像を行う場合のカメラＣＰＵ１ｃおよび画像処理部１ｆの動作について、図９のフローチャートを用いて説明する。カメラＣＰＵ１ｃおよび画像処理部１ｆは、コンピュータプログラムである画像処理プログラムに従って動作する。
【００３３】
ステップＳ１で交換レンズ２の装着を検出したカメラＣＰＵ（照明情報取得手段）１ｃは、ステップＳ２において、レンズＣＰＵ（送信手段）２ｂからレンズ記憶部２ｅに記憶された複数の撮影距離に対する照度マップを受信し、これをカメラ記憶部１ｅに記憶させる。
【００３４】
次にステップＳ３では、カメラＣＰＵ１ｃは、レンズＣＰＵ２ｂから複数のレンズＬＥＤ２ｈの点灯が選択されているか否かを示す情報を取得する。点灯が選択されている場合はステップＳ４に進み、点灯が選択されていない場合はステップＳ７に進む。
【００３５】
ステップＳ４では、カメラＣＰＵ１ｃは、レンズＣＰＵ２ｂから現在の撮影距離の情報を受信する。レンズＣＰＵ２ｂは、撮影光学系の焦点距離やフォーカスレンズの位置等に基づいて撮影距離を演算した結果をカメラＣＰＵ１ｃに送信する。ただし、カメラＣＰＵ１ｃが、レンズＣＰＵ２ｂから受信した撮影光学系の焦点距離やフォーカスレンズの位置等に基づいて撮影距離を演算してもよい。
【００３６】
次にステップＳ５では、カメラＣＰＵ１ｃは、撮影準備動作から撮影動作までの撮像を行う。画像処理部（画像取得手段）１ｆは、撮像素子１ｂからの出力に対して所定の処理を行うことでＲＡＷ画像である撮影画像（入力画像）を生成、すなわち取得する。
【００３７】
次にステップＳ６では、画像処理部１ｆは、ステップＳ４でカメラＣＰＵ１ｃが取得した撮影距離に対応する照度マップをカメラ記憶部１ｅから読み出す。そして、この照度マップを用いてステップＳ５で取得した撮影画像に対して画像処理を行う。ここでの画像処理は、照度マップに第１の照度領域と該第１の照度領域より照度が低い第２の照度領域とがあるとき、撮影画像における第２の照度領域に対応する画像領域の画素値を増加させる（つまりは該画像領域の輝度を高くする）処理である。
【００３８】
図７には、ＲＡＷ画像である撮影画像を示す。この撮影画像は、被写体の本来の明るさに対して図４に示したような照明光の照度むらが重畳することで、図７に示すように明るさむらがある画像となる。特に平面的な被写体を撮像した場合に、明るさむらが目立つ。画像処理部１ｆは、上記画像処理として、１６進数にて補正値００から補正値ＦＦまでの複数段階で輝度を補正する処理を行う。
【００３９】
撮影画像の各画素の色は、Ｒ，Ｇ，Ｂの３色の組合せで表現される。Ｒ，Ｇ，Ｂはそれぞれ００からＦＦの輝度を有し、Ｒ，Ｇ，Ｂがすべて００である場合は黒色に、すべてＦＦである場合は白色となる。
【００４０】
画像処理部１ｆは、照度マップに基づいて撮影画像の輝度を画像領域ごとに補正するための補正値を算出する。例えば、照度マップのうち最も低照度のブロック（図４中の４ｃ）に対応する画像領域では補正値が最も大きくなり、照度マップのうち最も高低照度のブロック（図４中の４ａ）に対応する画像領域では補正値が最も小さく（例えば０に）なるように補正値を算出する。例えば、撮影画像においてグレー色を示す画素の画素値（１６進数）Ｒ＝８８、Ｇ＝８８、Ｂ＝８８を明るいグレー色を示すようにＲ＝９９、Ｇ＝９９、Ｂ＝９９に補正する補正値Ｒ＝＋１０、Ｇ＝＋１０、Ｂ＝＋１０を算出する。
【００４１】
また、図６に示すように、照度マップにおける隣り合う２つのブロック６ａ，６ｂの照度差が大きい場合がある。このような場合には、撮影画像のうちこれら２つのブロックに対応する２つの画像領域については、該２つの画像領域の境界部で急激な輝度差が生じないように該２つの画像領域で画素値を平均化する処理を行うことが望ましい。
【００４２】
このようにして画像処理を行った画像処理部１ｆは、ステップＳ８において、図８に示した画像処理（輝度補正処理）後の補正画像（出力画像）を出力して、半導体メモリや光ディスク等の外部メモリ１ｇに保存する。また、補正画像を図１に示したＬＣＤ等の表示部１ｄに表示してもよい。図７に示す補正画像は、照明光の照度むらによって暗くなった画像領域の輝度が高められ、全体として均一な輝度を有する画像となる。
【実施例２】
【００４３】
実施例１では、画像処理装置（カメラＣＰＵ１ｃおよび画像処理部１ｆ）がカメラ１に内蔵され、交換レンズ２から照度マップを取得する場合について説明した。しかし、カメラＣＰＵ１ｃは、照度マップをカメラ１に対して着脱可能な記録媒体やインターネット、ＬＡＮ等のネットワークから取得してもよい。
【００４４】
また、実施例１では、交換レンズ２の製造工程において照明光の照度分布を測定し、作成した照度マップをレンズ記憶部２ｅに格納する場合について説明した。しかし、交換レンズ２を用いた撮像を行う際に照明光の照度分布を測定し、照度マップを作成してもよい。例えば、交換レンズ２を用いた撮影を行う前に照明装置ＩＡが点灯していない状態で撮影を行い、次に所定の出力で照明装置ＩＡを点灯させて撮影を行い、これらの撮影結果の差分を用いて照度分布を取得してもよい。
【００４５】
また、実施例１では、レンズ交換型のカメラ１について説明したが、撮影光学系を一体に有するレンズ一体型カメラにおいても、実施例１で説明した照度マップを用いた画像処理（輝度補正処理）を行うことができる。この場合、照度マップは、カメラ記憶部１ｅに格納すればよい。
【００４６】
また、実施例１では、交換レンズ２の前端部に照明装置ＩＡが内蔵されている場合について説明した。しかし、実施例１で説明した照度マップを用いた画像処理（輝度補正処理）は、そのような場合に限らず行うことができる。例えば、カメラや交換レンズに外付けされる照明装置を用いる場合や、カメラおよび交換レンズとは離れて配置された１つ又は複数の照明装置を用いる場合に該画像処理を行うことができる。
【００４７】
さらに、画像処理装置を、カメラや交換レンズとは別のパーソナルコンピュータにより構成してもよい。
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００４８】
上述の実施例においては、撮影画像における第２の照度領域に対応する画像領域の画素値を増加させる（つまりは該画像領域の輝度を高くする）画像処理を行う場合について説明したが、本発明の実施例はこのような画像処理に限定されるものではない。
【００４９】
例えば、照度マップに第１の照度領域と該第１の照度領域より照度が低い第２の照度領域とがあるとする。このとき、撮影画像における第１の照度領域に対応する画像領域の画素値を低下させる（つまりは該画像領域の輝度を低くする）画像処理を行ってもよい。このような画像処理であっても、上述の撮影画像における明るさむらを低減することが可能となる。つまり、本発明の実施例では、照明情報取得手段が取得する照明情報を用いて、入力画像（撮影画像）に対して、各照度領域間の画素値（画像領域の輝度）が均一になるような画像処理を行えばよい。
【００５０】
上述した実施例において、照明装置は、複数のレンズＬＥＤ２ｉ、光ガイド部材２ｈおよび拡散板２ｊにより構成されているが、照明装置はこのような構成のものに限定されない。例えば、照明装置がリング形状のキセノン管、蛍光管、ハロゲンランプ、有機ＥＬを備える場合であっても、水銀ランプや白色ＬＥＤ等を円環状に複数配置した構成であってもよい。そして、これらの構成の照明装置をレンズ前面に設けた構成であってもよい。さらに、照明装置はリング形状に発光する構成に限定されるものではない。照明装置がこのような構成であっても、照度分布を取得することで上述の撮影画像における明るさむらを低減することが可能となる。
【００５１】
以上説明した各実施例は代表的な例にすぎず、本発明の実施に際しては、各実施例に対して種々の変形や変更が可能である。
【符号の説明】
【００５２】
１  カメラ
１ｃ  カメラＣＰＵ
１ｆ  画像処理部
２  交換レンズ
２ｅ  レンズ記憶部
【図１】
2017143454.tif 000003
【図２】
2017143454.tif 000004
【図３】
2017143454.tif 000005
【図４】
2017143454.tif 000006
【図５】
2017143454.tif 000007
【図６】
2017143454.tif 000008
【図７】
2017143454.tif 000009
【図８】
2017143454.tif 000010
【図９】
2017143454.tif 000011